(57)【要約】【課題】  操作者とレベル表示の位置との距離によらず良好な視認性を確保できる。【解決手段】  撮影画像と、撮影画像に関する音声信号のレベルとを表示し、外部装置からの指示に応じて、撮影画像の表示領域２１に対する音声レベルの表示領域２２の表示領域比率を変更する。【選択図】  図２
2007124033.tif 000002
【特許請求の範囲】
【請求項１】
撮影画像と、前記撮影画像に関する音声信号のレベルとを表示する表示手段と、
外部装置からの指示に応じて、前記撮影画像の表示領域に対する音声レベルの表示領域の表示領域比率を変更する制御手段と、
を備えたことを特徴とする撮影装置。
【請求項２】
撮影画像の確認を妨げない程度に前記撮影画像表示領域に対する前記音声レベル表示領域の表示領域比率を第１領域比で表示する通常表示モードと、前記第１領域比よりも前記音声レベル表示領域の比率を大きくした第２領域比で表示する拡大表示モードとを切り換える表示モード切り換え手段をさらに有し、
前記表示モード切り換え手段は、外部装置からの指示に応じて、前記通常表示モードと前記拡大表示モードとを切り換え、前記制御手段は、前記切り換えられた表示モードに基づき、前記表示領域比率変更することを特徴とする請求項１記載の撮影装置。
【請求項３】
撮影画像と、前記撮影画像に関する音声信号のレベルの少なくとも１つを表示する表示手段と、
外部装置からの指示に応じて、前記撮影画像及び音声レベル両方の表示と、前記音声レベルのみの表示の一方を行い、前記音声レベルのみの表示の際は、前記音声レベルの変化を単色画像の色変化により表現するよう制御する制御手段と、
を備えたことを特徴とする撮影装置。
【請求項４】
前記制御手段は、音声レベルが基準レベル未満であることを示す第１色、音声レベルが基準色以上であることを示す第２色、及び音声レベルが最大であることを示す第３色の少なくとも３色の色変化により音声レベルの変化を表現することを特徴とする請求項３に記載の撮影装置。
【請求項５】
撮影画像と、前記撮影画像に関する音声信号のレベルとを表示する音声レベル表示方法であって、
外部装置からの指示に応じて、前記撮影画像の表示領域に対する音声レベルの表示領域の表示領域比率を変更することを特徴とする音声レベル表示方法。
【請求項６】
撮影画像と、前記撮影画像に関する音声信号のレベルの少なくとも１つを表示する音声レベル表示方法であって、
外部装置からの指示に応じて、前記撮影画像及び音声レベル両方の表示と、前記音声レベルのみの表示の一方を行い、前記音声レベルのみの表示の際は、前記音声レベルの変化を単色画像の色変化により表現することを特徴とする音声レベル表示方法。
【発明の詳細な説明】
【技術分野】
【０００１】
本発明は、音声レベル表示機能を備えた撮影装置及びその音声レベル表示方法等に関するものである。
【背景技術】
【０００２】
ビデオカメラ装置等の撮影装置において、音声レベル表示部を独立部品として設けるのではなく画像モニタ用液晶画面中に設け部品構成を簡略化する技術が提案されている（特許文献１参照）。この技術により、ビデオカメラ装置の部品コスト削減や小型化を図ることができる。
【０００３】
図６（ａ），（ｂ）は、上記文献の技術を説明するものであり、画像モニタ用液晶パネル上にレイアウトされた音声レベル表示を示す図である。上記文献では、自動的に記録レベルが設定されるオートモードと、撮影者自らが手動で記録レベルを設定するマニュアルモードとで液晶パネル上の音声レベル表示を切り換えている。
【０００４】
マニュアルモードの時は図６（ａ）に示すように音声レベル表示を見やすくはっきりと表示している。一方、オートモードの時は図６（ｂ）のように背部の表示画像すなわち撮影中の映像表示を妨げないように音声表示レベルを半透明となるような表現形態で表示している。これにより、自動でレベル設定する場合と手動でレベル設定する場合とで、ユーザーの使用形態にあわせた最適な音声レベル表示を提供している。
【特許文献１】特開２００４−２３６２３号公報（第９頁、図７）
【発明の開示】
【発明が解決しようとする課題】
【０００５】
しかしながら、前記改善方法には次の不具合がある。すなわち、被写体又は撮影者がビデオカメラ装置から離れた位置で音声レベルを確認したい場合、音声レベル表示は基本的に撮影画像の確認を妨げない位置にレイアウトされている。このため、表示自体が非常に小さく少しの距離でも視認性が落ちて確認できないという不具合があった。
【０００６】
本発明は、上述した問題点を解決するためのものであり、操作者とレベル表示の位置との距離によらず良好な視認性を確保できる撮影装置及び音声レベル表示方法を目的とする。
【課題を解決するための手段】
【０００７】
上記目的を達成するために、本発明の撮影装置は、撮影画像と、前記撮影画像に関する音声信号のレベルとを表示する表示手段と、外部装置からの指示に応じて、前記撮影画像の表示領域に対する音声レベルの表示領域の表示領域比率を変更する制御手段と、を備えたことを特徴とする。
【０００８】
また、本発明の撮影装置は、撮影画像と、前記撮影画像に関する音声信号のレベルの少なくとも１つを表示する表示手段と、外部装置からの指示に応じて、前記撮影画像及び音声レベル両方の表示と、前記音声レベルのみの表示の一方を行い、前記音声レベルのみの表示の際は、前記音声レベルの変化を単色画像の色変化により表現するよう制御する制御手段と、を備えたことを特徴とする。
【０００９】
また、本発明の音声レベル表示方法は、撮影画像と、前記撮影画像に関する音声信号のレベルとを表示する音声レベル表示方法であって、外部装置からの指示に応じて、前記撮影画像の表示領域に対する音声レベルの表示領域の表示領域比率を変更することを特徴とする。
【００１０】
また、本発明の音声レベル表示方法は、撮影画像と、前記撮影画像に関する音声信号のレベルの少なくとも１つを表示する音声レベル表示方法であって、外部装置からの指示に応じて、前記撮影画像及び音声レベル両方の表示と、前記音声レベルのみの表示の一方を行い、前記音声レベルのみの表示の際は、前記音声レベルの変化を単色画像の色変化により表現することを特徴とする。
【発明の効果】
【００１１】
本発明によれば、操作者とレベル表示の位置との距離によらず良好な視認性を確保できる。
【発明を実施するための最良の形態】
【００１２】
以下、図面を参照して本発明の実施の形態を説明する。
【００１３】
（第１の実施形態）
図１は、本発明を適用可能なビデオカメラ装置の全体構成を示すブロック図である。１は光学信号を取り込むところのレンズ部、２は光学信号を電気信号に変換するところのＣＣＤ部である。３はＣＣＤ部２からの信号を処理するところのカメラ信号処理部、４は画像信号の処理を行うところのビデオ信号処理部である。５は音声を収音するところのマイク、６はマイク５からの音声信号を増幅するところのマイクアンプ、７は音声信号を処理するところのオーディオ信号処理部である。８はビデオカメラ装置全体の制御を行うところのシステムコントロール部である。９は遠隔操作にて音声レベル表示の表示モードを切り換える操作をするところの音声レベル表示モード切り換え入力部である。１０は音声レベル表示モード切り換え入力部９からの入力により音声レベル表示モード切り換えを制御するところの音声レベル表示モード切り換え制御部、１１は表示信号を処理するところの表示信号処理部である。１２は画像をモニタするところの表示部、１３は音声レベルを表示するところの音声レベル表示部である。１４は記録再生処理を行うところの記録再生処理部、１５はデータを記録或いは再生するために記憶媒体にアクセスする媒体アクセス部である。
【００１４】
図１において、マイク５から入力された音声信号はマイクアンプ６で増幅されオーディオ信号処理部７に入力される。オーディオ信号処理部７で音声レベルの検出をした結果はシステムコントロール部８でレベルに対応した表示データとして表示処理部１１に送られる。そして、表示部１２中の音声レベル表示部１３で基準レベル未満の場合、基準レベル以上最大レベル未満、最大レベルの３つのエリアに区切られて色分けされ、そのレベルに応じて使用者に音声レベルが視角的にわかり易く表示される。
【００１５】
音声レベル表示モード切り換え入力部９が操作されない場合、表示部１２は図２（ａ）の２１が映像表示領域となり、音声レベル表示領域は図２（ａ）の２２に示すように画像のモニタを妨げないように端の方に小さいものとなる。例えば、音声レベル表示領域２２と映像表示領域２１との領域比は、縦方向に１：２０、横方向に１：４となる。
【００１６】
撮影者がビデオカメラから離れた位置で音声レベルの確認を希望する場合、ビデオカメラ装置本体とは別体となったリモコンで、音声レベル表示モード切り換え入力部９を操作する。その情報を受けた音声レベル表示モード切り換え制御部１０は、表示信号処理部１１を制御し音声レベル表示モードを離れた位置からも確認し易いように、表示部１２上の音声レベル表示１３を拡大モードに移行させる。
【００１７】
撮影者はビデオカメラ本体から離れているため、表示部上の撮影画像自体確認しにくい状態となっており、音声レベル表示に表示部の機能を特化しても弊害は多くはない。
【００１８】
この場合、表示部１２の表示は図２（ｂ）の２３に示したものとなり、音声レベル表示は図２（ｂ）の２４に示すように表示部全体（音声レベル表示領域２２と映像表示領域２１との領域比が縦横ともに１：１）に拡大表示される。したがって、離れた位置からの視認性が向上し、音声レベル確認も容易になる。
【００１９】
なお、拡大表示モードのほうが通常モードよりも、音声レベル表示領域２２の領域比が大きければよい。すなわち、全体表示でなくとも、半分の表示（音声レベル表示領域２２と映像表示領域２１との領域比が縦１：２、横１：１）等でもよい。
【００２０】
図３は、本実施形態における音声レベル表示方法を示すフローチャートである。本フローチャートの処理は、システムコントロール部８が、図１の各ブロックを制御することにより達成される。
【００２１】
まず、ビデオカメラ装置が記録モードに切り換えられたことに応じて、表示部１２は撮影された映像を表示し、音声レベル表示部１３は音声レベルを表示する。このときの表示モードは、図２（ａ）の通常表示モードである（Ｓ３０１）。
【００２２】
次に、音声レベル表示モード切り換え入力部からの切り換え信号が検出されたか否かを判断する（Ｓ３０２）。ここで、入力が検出されていない間は、通常表示モードによる表示が続けられる。
【００２３】
ステップＳ３０２で切り換え信号が検出されたと判断した場合、現在の表示モードが拡大表示モードであるか否かを判断する（Ｓ３０３）。ここで、通常表示モードであると判断された場合、音声レベル表示モード切り換え部１０は、拡大表示モードへと表示モードを切り換える信号を表示信号処理部１１へと送る。これを受けた表示信号処理部１１は、図２（ｂ）の表示を行うように、表示部１２及び音声レベル表示部１３を制御する（Ｓ３０４）。
【００２４】
ステップＳ３０４で拡大表示モードへと切り換えられた後は、再び切り換え信号が検出されたかを判断するステップＳ３０２へと戻る。そして、再び切り換え信号が検出された場合は、ステップＳ３０３，ステップＳ３０５と進み、表示モードを通常表示モードによる映像情報表示へと切り換える。
【００２５】
以上のように、本実施形態によれば、撮影者が離れた位置から音声レベル確認を希望し、遠隔操作による音声レベル表示を実行した場合、表示手段を音声レベル表示に特化して拡大表示される。したがって、離れていても視認性が向上し容易にレベルの確認が可能となる。
【００２６】
（第２の実施形態）
第１の実施形態では、図２のように、表示部９の表示を拡大するようにした。本実施形態では、拡大表示ではなく、別表示に切り換えるものである。本実施形態における基本的なブロック構成は、第１の実施形態に準ずるため、動作の説明は省略する。
【００２７】
図４において、４１は表示部、４２は表示部中の音声レベル表示部、４３は別表示に切り換えた時の表示部である。そして、４４は音声レベルが基準値未満の表示、４５は音声レベルが基準値以上最大レベル未満の表示、４６は最大レベルでの表示である。
【００２８】
すなわち、表示部上の表示色を単色として音声レベルにより切り換えることで、より離れた位置からの視認性を更に向上させるものである。
【００２９】
（他の実施形態）
上記実施形態では、ステレオ音声を考慮したものではなかったが、例えば図５のように、Ｒ（右）とＬ（左）とで別に２つ音声レベル表示を行うようにしてもよい。
【００３０】
また、表示部が回転し、対面撮影可能とされている場合、対面撮影時、拡大表示モードにおける音声レベル表示を反転させ、その表示位置が変化しないように構成してもよい。
【００３１】
また、上記実施形態では、ビデオカメラ装置を例に、本発明を説明したが、本発明は、デジタルスチルカメラやカメラ付き携帯電話等、他の撮影装置においても実施可能なものである。さらに、映像の再生処理に関して本発明と同様の構成をとれば撮影装置に限らず、例えばデジタルテレビやパーソナルコンピュータ等においても適用可能である。
【図面の簡単な説明】
【００３２】
【図１】本発明を適用可能なビデオカメラ装置の全体構成を示すブロック図である。
【図２】第１の実施形態における音声レベル表示状態を説明するための図である。
【図３】第１の実施形態における音声レベル表示の制御を示すフローチャートである。
【図４】第２の実施形態における音声レベル表示状態を説明するための図である。
【図５】他の実施形態としてのステレオ音声レベル表示を説明するための図である。
【図６】従来の音声レベル表示を説明するための図である。
【符号の説明】
【００３３】
１  レンズ
２  ＣＣＤ
３  カメラ信号処理部
４  ビデオ信号処理
５  マイク
６  マイクアンプ
７  オーディオ信号処理部
８  システムコントロール部
９  音声レベル表示モード切り換え入力部
１０  音声レベル表示モード切り換え制御部
１１  表示信号処理部
１２  表示部
１３  音声レベル表示部
【図１】
2007124033.tif 000003
【図２】
2007124033.tif 000004
【図３】
2007124033.tif 000005
【図４】
2007124033.tif 000006
【図５】
2007124033.tif 000007
【図６】
2007124033.tif 000008